【手続補正書】
【提出日】平成24年10月17日(2012.10.17)
【手続補正１】
【補正対象書類名】明細書
【補正対象項目名】０００７
【補正方法】変更
【補正の内容】
【０００７】
（適用例１）本適用例に係るカット装置は、テープ状部材に対し、その幅方向に切断動作を行うカット装置であって、斜刃で構成したカッター刃を有するカッターユニットと、カッターユニットに対し、切断待機位置から切断開始位置までテープ状部材に向かって前進させる切断準備動作と、切断開始位置から切断完了位置まで移動させる切断動作と、切断完了位置から離脱位置に後退させる離脱動作と、離脱位置から切断待機位置に復帰させる復帰動作と、を含む循環運動を行わせるカッター作動機構と、を備え、カッター作動機構は、離脱動作において、テープ状部材を全て切断するフルカットと、テープ状部材の一部だけを切断するハーフカットとで、カッターユニットの離脱位置を異ならせることを特徴とする。
【手続補正２】
【補正対象書類名】明細書
【補正対象項目名】０００８
【補正方法】変更
【補正の内容】
【０００８】
このようなカット装置によれば、循環運動を行わせるカッター作動機構により、カッターユニットは、テープ状部材の幅方向に移動して切断動作を行う。また、カッター作動機構は、離脱動作において、同一のカッターユニットを使用して、フルカットとハーフカットとで離脱位置を異ならせることにより、離脱動作後の動作となる復帰動作において、カッターユニットの移動によりテープ状部材を傷つける等の不具合を防止することができる。従って、カッター作動機構は、カッターユニットの復帰動作を安全に行うことができる。
【手続補正３】
【補正対象書類名】明細書
【補正対象項目名】０００９
【補正方法】変更
【補正の内容】
【０００９】
（適用例２）上記適用例に係るカット装置において、カッター作動機構は、ハーフカット時における離脱動作において、離脱位置がテープ状部材のテープ面に対して離間するようにカッターユニットを離脱動作させることが好ましい。
【手続補正４】
【補正対象書類名】明細書
【補正対象項目名】００１０
【補正方法】変更
【補正の内容】
【００１０】
このようなカット装置によれば、カッター作動機構は、ハーフカット時における離脱動作において、離脱位置をテープ状部材のテープ面に対して離間させることにより、離脱動作後の動作となる復帰動作において、カッター刃が移動を行った場合、ハーフカットされたテープ状部材を傷つける等の不具合を防止することができる。従って、カッター作動機構は、カッター刃の復帰動作を安全に行うことができる。
【手続補正５】
【補正対象書類名】明細書
【補正対象項目名】００１１
【補正方法】変更
【補正の内容】
【００１１】
（適用例３）上記適用例に係るカット装置において、カッター作動機構は、切断準備動作において、フルカットとハーフカットとで、カッターユニットの切断開始位置を異ならせることが好ましい。
このようなカット装置によれば、切断準備動作において、同一のカッターユニットを使用して、フルカットとハーフカットとで切断開始位置を異ならせることにより、テープ状部材への切り込み量を変えることができ、フルカット及びハーフカットを行うことができる。これにより、カット装置を別々のフルカット装置及びハーフカット装置で構成する必要がなくなる。従って、フルカット装置及びハーフカット装置を共有化できることにより、カット装置の小型化を図ることができる。
【手続補正６】
【補正対象書類名】明細書
【補正対象項目名】００１２
【補正方法】変更
【補正の内容】
【００１２】
（適用例４）上記適用例に係るカット装置において、カッター作動機構は、カッターユニットをテープ状部材に対して前後方向に移動させる第１移動機構と、カッターユニットをテープ状部材に対して上下方向に移動させる第２移動機構と、第１移動機構及び第２移動機構に動力を分岐して伝達し、第１移動機構及び第２移動機構を連動させ、カッターユニットに循環運動を行わせる動力伝達機構と、を備え、動力伝達機構は、駆動部から入力された動力により回動する回動円板と、回動円板に形成された経路が異なるカム溝を有し、回動円板の回転方向を順方向と逆方向とに切替えて回転させることによりフルカット及びハーフカットを行うことが好ましい。
【手続補正７】
【補正対象書類名】明細書
【補正対象項目名】００１４
【補正方法】変更
【補正の内容】
【００１４】
（適用例５）上記適用例に係るカット装置において、カッター作動機構は  回動円板の経路が異なるカム溝によって、切断開始位置および離脱位置を異ならせることが好ましい。
【手続補正８】
【補正対象書類名】明細書
【補正対象項目名】００１５
【補正方法】変更
【補正の内容】
【００１５】
このようなカット装置によれば、回動円板に形成した経路が異なるカム溝を有するため、回動円板の回転方向を順方向と逆方向とに切替えてフルカット及びハーフカットを行う場合、例えば、ハーフカット時の離脱動作と復帰動作を行う経路と、フルカット時の切断準備動作と切断動作を行う経路とを別々に回動円板に形成することができる。これにより、ハーフカット時において、カッターユニットの離脱位置をテープ状部材のテープ面から離脱させることができ、また、フルカット時において、切断開始位置を適正な位置に位置させることができる。従って、ハーフカット時に復帰動作を行う場合、カッター刃がテープ状部材に当接してテープ状部材を傷つける等の不具合を防止することができる。
【手続補正９】
【補正対象書類名】明細書
【補正対象項目名】００１６
【補正方法】変更
【補正の内容】
【００１６】
（適用例６）上記適用例に係るカット装置において、回動円板のカム溝は、経路が異なるカム溝に対して段差部を有して接続することが好ましい。
【手続補正１０】
【補正対象書類名】明細書
【補正対象項目名】００１７
【補正方法】変更
【補正の内容】
【００１７】
このようなカット装置によれば、カム溝が段差部を有することで、経路が異なるカム溝を接続するため、滑らかに連結するカム溝を効率的に形成することができる。これにより、回動円板が順方向回転と逆方向回転を行う場合、安定した滑らかな回転を行うことができる。これにより、カッター作動機構は、フルカット及びハーフカットの適正な動作を両立させて滑らかに行わせることができる。
【手続補正１１】
【補正対象書類名】明細書
【補正対象項目名】００１８
【補正方法】変更
【補正の内容】
【００１８】
（適用例７）上記適用例に係るカット装置において、第１移動機構は、動力伝達機構から動力を入力してスライドすることによりカッターユニットを前後方向にスライドさせる第１プレートを備え、第１プレートは、バネ部材により伸縮自在に突設され、回動円板のカム溝に係合するカム突起を有することが好ましい。
このようなカット装置によれば、第１プレートに有するカム突起は、バネ部材を有することにより、シンプルな構成で伸縮自在のカム突起を実現でき、回動円板が順方向回転と逆方向回転とを行う場合、段差部を有するカム溝に沿ってカム突起を確実に従動させることができる。
【手続補正１２】
【補正対象書類名】明細書
【補正対象項目名】００１９
【補正方法】変更
【補正の内容】
【００１９】
（適用例８）本適用例に係るテープ印刷装置は、上述したいずれかのカット装置と、テープ状部材に印刷を行う印刷駆動装置と、を備えたことを特徴とする。
【手続補正１３】
【補正対象書類名】特許請求の範囲
【補正対象項目名】全文
【補正方法】変更
【補正の内容】
【特許請求の範囲】
【請求項１】
テープ状部材に対し、その幅方向に切断動作を行うカット装置であって、
斜刃で構成したカッター刃を有するカッターユニットと、
前記カッターユニットに対し、切断待機位置から切断開始位置まで前記テープ状部材に向かって前進させる切断準備動作と、前記切断開始位置から切断完了位置まで移動させる前記切断動作と、前記切断完了位置から離脱位置に後退させる離脱動作と、前記離脱位置から前記切断待機位置に復帰させる復帰動作と、を含む循環運動を行わせるカッター作動機構と、を備え、
前記カッター作動機構は、前記離脱動作において、前記テープ状部材を全て切断するフルカットと、前記テープ状部材の一部だけを切断するハーフカットとで、前記カッターユニットの前記離脱位置を異ならせることを特徴とするカット装置。
【請求項２】
請求項１に記載のカット装置であって、
前記カッター作動機構は、前記ハーフカット時における前記離脱動作において、前記離脱位置が前記テープ状部材のテープ面に対して離間するように前記カッターユニットを離脱動作させることを特徴とするカット装置。
【請求項３】
請求項１または２に記載のカット装置であって、
前記カッター作動機構は、前記切断準備動作において、前記フルカットと前記ハーフカットとで、前記カッターユニットの前記切断開始位置を異ならせることを特徴とするカット装置。
【請求項４】
請求項１〜３のいずれか一項に記載のカット装置であって、
前記カッター作動機構は、
前記カッターユニットを前記テープ状部材に対して前後方向に移動させる第１移動機構と、
前記カッターユニットを前記テープ状部材に対して上下方向に移動させる第２移動機構と、
前記第１移動機構及び前記第２移動機構に動力を分岐して伝達し、前記第１移動機構及び前記第２移動機構を連動させ、前記カッターユニットに前記循環運動を行わせる動力伝達機構と、を備え、
前記動力伝達機構は、駆動部から入力された動力により回動する回動円板と、当該回動円板に形成された経路が異なるカム溝を有し、前記回動円板の回転方向を順方向と逆方向とに切替えて回転させることにより前記フルカット及び前記ハーフカットを行うことを特徴とするカット装置。
【請求項５】
請求項４に記載のカット装置であって、
前記カッター作動機構は  前記回動円板の経路が異なる前記カム溝によって、前記切断開始位置および前記離脱位置を異ならせることを特徴とするカット装置。
【請求項６】
請求項４または５に記載のカット装置であって、
前記回動円板の前記カム溝は、前記経路が異なるカム溝に対して段差部を有して接続することを特徴とするカット装置。
【請求項７】
請求項４〜６のいずれか一項に記載のカット装置であって、
前記第１移動機構は、前記動力伝達機構から動力を入力してスライドすることにより前記カッターユニットを前後方向にスライドさせる第１プレートを備え、
前記第１プレートは、バネ部材により伸縮自在に突設され、前記回動円板の前記カム溝に係合するカム突起を有することを特徴とするカット装置。
【請求項８】
請求項１〜７のいずれか一項に記載のカット装置と、
前記テープ状部材に印刷を行う印刷駆動装置と、を備えたことを特徴とするテープ印刷装置。